(57)【要約】      （修正有）【課題】楽器本体と支持部材とを分解することなく梱包する場合に、これらが損傷してしまうことを効果的に防止する収納部材を提供する。【解決手段】収納部材２０は、楽器１００における一組の支持部材１３０間に収めることとなるが、このとき、側壁部２１の上端が楽器本体１２０の裏面に接触することになる。つまり、収納部材２０は、楽器本体１２０と底板１５上面とで挟まれた状態となり、その状態からの変位が規制されるため、この収納部材２０の収納部２３も同様に変位が規制される。これにより、関連品を収納した状態の収納部２３が不必要に変位し、その関連品が収納部２３の壁面２３ａを介して楽器本体１２０または支持部材１３０に接触することを防止でき、そのような接触に起因して楽器本体１２０または支持部材１３０を損傷させるといったことを防止することができる。【選択図】図１
2007230634.tif 000002
【特許請求の範囲】
【請求項１】
演奏者の手で操作される第１操作部を長さ方向に沿って配置してなる楽器本体が、該楽器本体の長さ方向に間隔を空けて配置された一組の支持部材により支持された構成となっている楽器を、梱包箱にて梱包するにあたり、前記楽器に関連する関連品を収納した状態で前記梱包箱に同梱する収納部材であって、
それぞれ前記楽器において前記支持部材の下端から前記楽器本体の裏面にまで至る高さを有し、前記一組の支持部材が配置された間隔以下の間隔で配置された一対の側壁部と、
それぞれ前記一対の側壁部を連結するように延びる複数の壁面を有し、該壁面それぞれで前記一対の側壁部間の領域を取り囲むことにより、該取り囲まれた領域を、前記関連品を収納するための収納領域として形成している収納部と、を備えており、
前記梱包箱内において、前記一組の支持部材間に形成される領域に収めることにより、前記梱包箱に同梱される、ように構成されている
ことを特徴とする収納部材。
【請求項２】
前記一対の側壁部の上端から上方に向けて延びる第１延出部が備えられており、
該第１延出部は、当該収納部材を、前記楽器において演奏者が位置する側となる演奏側から、前記一組の支持部材間に形成される領域に収めた場合に、前記楽器本体における前記演奏側の端面に接触する位置関係で設けられている
ことを特徴とする請求項１に記載の収納部材。
【請求項３】
前記楽器が、前記一組の支持部材間を該支持部材の下端側で連結する連結部から、前記楽器において演奏者が位置する側となる演奏側に向けて延びる部材を、演奏者の足で操作される第２操作部として備えている場合に、
前記収納部は、その下端が、前記側壁部下端から、少なくとも前記楽器における支持部材下端から第２操作部の上端に至る高さに相当する距離よりも長い距離だけ、前記側壁部の上端側に配置されている
ことを特徴とする請求項１または請求項２に記載の収納部材。
【請求項４】
演奏者の手で操作される第１操作部を長さ方向に沿って配置してなる楽器本体が、該楽器本体の長さ方向に間隔を空けて配置された一組の支持部材により支持された構成となっている楽器を、梱包するための梱包箱と、前記楽器に関連する関連品を収納するための収納部材と、からなる梱包セットであって、
前記収納部材は、
それぞれ前記楽器において前記支持部材の下端から前記楽器本体の裏面にまで至る高さを有し、前記一組の支持部材が配置された間隔以下の間隔で配置された一対の側壁部と、
それぞれ前記一対の側壁部を連結するように延びる複数の壁面を有し、該壁面それぞれで前記一対の側壁部間の領域を取り囲むことにより、該取り囲まれた領域を、前記関連品を収納するための収納領域として形成している収納部と、を備え、
前記梱包箱内において、前記一組の支持部材間に形成される領域に収めることにより、前記梱包箱に同梱される、ように構成されている
ことを特徴とする梱包セット。
【請求項５】
前記収納部材においては、
前記一対の側壁部の上端から上方に向けて延びる第１延出部が備えられ、
該第１延出部は、当該収納部材を、前記楽器において演奏者が位置する側となる演奏側から、前記一組の支持部材間に形成される領域に収めた場合に、前記楽器本体における前記演奏側の端面に接触する位置関係で設けられている
ことを特徴とする請求項４に記載の梱包セット。
【請求項６】
前記楽器が、前記一組の支持部材間を該支持部材の下端側で連結する連結部から、前記楽器において演奏者が位置する側となる演奏側に向けて延びる部材を、演奏者の足で操作される第２操作部として備えている場合に、
前記収納部材において、
前記収納部は、その下端が、前記側壁部下端から、少なくとも前記楽器における支持部材下端から第２操作部の上端に至る高さに相当する距離よりも長い距離だけ、前記側壁部の上端側に配置されている
ことを特徴とする請求項４または請求項５に記載の梱包セット。
【請求項７】
前記梱包箱においては、
その底面のうち、前記収納部材が同梱された当該梱包箱を上方から投影した面において前記収納部材の収納部が位置する領域であって、かつ、前記第２操作部が位置していない領域に、該領域から前記収納部の下端まで至る高さを有する柱状の柱状部が、備えられている
ことを特徴とする請求項６に記載の梱包セット。
【請求項８】
前記収納部材においては、
一方の前記側壁部のうち、少なくとも前記収納部の下端に対応する位置よりも下端側となる位置から、他方の前記側壁部に向けて延びる第２延出部が備えられ、
前記梱包箱において、
前記柱状部は、前記収納部材を、前記一組の支持部材間に形成される領域に収めた場合に、前記第２延出部と接触する位置関係で設けられている
ことを特徴とする請求項７に記載の梱包セット。
【発明の詳細な説明】
【技術分野】
【０００１】
本発明は、楽器を梱包するための梱包箱と、その楽器に関連する関連品を収納するための収納部材と、からなる梱包セットに関する。
【背景技術】
【０００２】
従来、電子ピアノ，電子オルガンのように、間隔を空けて配置された一組の支持部材により楽器本体が支持された構成となっている楽器を梱包する際には、楽器本体と支持部材とを分解した状態でそれぞれ重ねて梱包することが一般的であった。
【０００３】
このとき、椅子，接続ケーブル，ヘッドホンなどの付属品については、専用の収納部材に収納された状態で楽器本体，支持部材に重ねて同梱されていた。
ところで、近年では、楽器としての美的外観が損なわれないようにするために、楽器本体と支持部材とを分解することなく梱包することに対する要望が高まっている。
【０００４】
なお、本願出願人は、本願発明に関連する技術文献の調査を行ったが、先行技術文献として開示すべき情報を発見するに至らなかったため、先行技術文献については、記載しないものとする。
【発明の開示】
【発明が解決しようとする課題】
【０００５】
ただ、上述したように、楽器本体と支持部材とを分解しない場合、それだけでも分解した場合と比べて体積が大きくなることから、梱包した後の体積をできる限り小さくするために、収納部材を収めるスペースを制限する必要がある。具体的には、支持部材で挟まれた領域に収納部材を収めることが、梱包した後の体積を小さくするうえでは好ましい。
【０００６】
しかし、このようなスペースに収納部材を収める場合、付属品が収納部材を介して楽器本体または支持部材を損傷させないようにしなければならず、収納部材としての構成に工夫が必要である。
【０００７】
また、楽器本体は、支持部材に支持されているとはいえ、支持部材に比べて重量があるため、楽器本体と支持部材とを分解せずに梱包した場合、運搬時の振動などにより、支持部材に過度の負荷が加わってしまい、場合によっては損傷してしまう恐れがある。
【０００８】
本発明は、上述したような課題を解決するためになされたものであって、その目的は、楽器本体と支持部材とを分解することなく梱包する場合に、これらが損傷してしまうことを効果的に防止するための技術を提供することである。
【課題を解決するための手段】
【０００９】
上記課題を解決するため請求項１に記載の収納部材は、楽器を梱包箱にて梱包するにあたり、前記楽器に関連する関連品を収納した状態で前記梱包箱に同梱する収納部材である。ここで、上述した「楽器」は、演奏者の手で操作される第１操作部を長さ方向に沿って配置してなる楽器本体が、該楽器本体の長さ方向に間隔を空けて配置された一組の支持部材により支持された構成となっているものである。
【００１０】
この収納部材においては、一対の側壁部と、収納部と、を備えている。これらのうち、一対の側壁部は、それぞれ前記楽器において前記支持部材の下端から前記楽器本体の裏面にまで至る高さを有し、前記一組の支持部材が配置された間隔以下の間隔で配置されている。また、収納部は、それぞれ前記一対の側壁部を連結するように延びる複数の壁面を有し、該壁面それぞれで前記一対の側壁部間の領域を取り囲むことにより、該取り囲まれた領域を、前記関連品を収納するための収納領域として形成している。
【００１１】
そして、この収納部材は、前記梱包箱内において、前記一組の支持部材間に形成される領域に収めることにより、前記梱包箱に同梱される。
このように構成された収納部材によれば、梱包箱に同梱するにあたり、楽器における一組の支持部材間に収められることとなるが、このとき、側壁部が楽器本体の裏面に至る高さを有しているため、その上端が楽器本体の裏面に接触することになる。
【００１２】
つまり、収納部材は、少なくとも楽器本体と梱包箱の底面とで挟まれた状態となり、その状態からの変位が規制されることとなるため、この収納部材の収納部についても同様に変位が規制されることとなる。これにより、関連品を収納した状態の収納部が不必要に変位し、その関連品が収納部の壁面を介して楽器本体または支持部材に接触することを防止でき、そのような接触に起因して楽器本体または支持部材を損傷させるといったことを防止することができる。
【００１３】
さらに、この収納部材は、側壁部の上端が楽器本体の裏面に接触することで、梱包箱内において楽器本体を支持するようにも機能することとなる。これにより、運搬時の振動などに起因して楽器の支持部材に加わる負荷を、収納部材側に分散させることができるため、その負荷により楽器の支持部材が損傷することを抑制できる。
【００１４】
なお、上述した関連品とは、楽器に関連する品であって、例えば、楽器に付属する付属品の他、楽器の演奏に際して使用する品のことである。
また、上述した側壁部は、楽器における支持部材の下端から楽器本体の裏面にまで至る高さを有する壁状の部分であって、その上端は、楽器における楽器本体の裏面と接触することができれば、どのような形状となっていてもよい。ただ、側壁部の上端部は、楽器本体を安定して支持できるようにすることを考えると、楽器本体の裏面のうち、その上端部が接触する領域の形状に合わせた形状に加工しておくことが望ましい。
【００１５】
また、上述した収納部は、複数の壁面が側壁部間の領域を取り囲むことで収納領域を形成する構成となっていればよく、具体的な構成については特に限定されない。例えば、底面，および，収納部材を楽器における一対の支持部材間に収納した場合に楽器本体が位置する側の面として、それぞれ壁面が配置された構成とすればよい。
【００１６】
ところで、通常、楽器本体は、演奏のしやすさを確保するために、楽器を側面視した場合において演奏者の位置する側（以降、「演奏側」という）へ向けて突出した構造となっていることが一般的である。そのため、楽器本体と支持部材とを分離せずに梱包する場合、運搬時の振動などで楽器全体を演奏側に傾けるような力が作用することがあり、これにより支持部材に過度の負荷が加わることがある。このような負荷がかかることは、その大きさによっては支持部材を損傷させてしまう恐れがあることから、望ましいことではない。
【００１７】
そのため、上述した収納部材を楽器における一組の支持部材間に収め、その側壁部上端を楽器本体の裏面に接触させるのは、楽器全体を演奏側に傾けるような力を分散させるといった観点からすると、楽器本体における演奏者側であることが望ましい。
【００１８】
ただ、側壁部上端が単純に楽器本体の裏面に接触する構成では、楽器本体における演奏者側の端部からその反対側の端部への収納部材の変位を効果的に防止することができない。そのため、上記反対側の端部へ収納部材が変位してしまった状態においては、楽器全体が演奏側に傾く力を分散させることができなくなる。
【００１９】
このようなことを防止するためには、例えば、請求項２に記載の収納部材のように構成することが考えられる。
この収納部材は、前記一対の側壁部の上端から上方に向けて延びる第１延出部が備えられている。そして、この第１延出部は、当該収納部材を、前記楽器において演奏者が位置する側となる演奏側から、前記一組の支持部材間に形成される領域に収めた場合に、前記楽器本体における前記演奏側の端面に接触する位置関係で設けられている。
【００２０】
このように構成された収納部材であれば、楽器における一組の支持部材間に収めた場合に、第１延出部が楽器本体における演奏側の端面に接触することで、その変位が規制される。これにより、収納部材が、楽器本体における演奏者側の端部からその反対側へ変位することを防止できるため、側壁部上端により楽器本体における演奏者側の端部を支持した状態を維持することができる。
【００２１】
その結果、上記反対側の端部へ収納部材が変位して、楽器本体が演奏側に傾く力を分散させることができなくなるということがなくなるため、これにより、支持部材の損傷を効果的に防止することができる。
【００２２】
また、上述した収納部は、複数の壁面で取り囲まれた収納領域を形成するものであれば、その下端が側壁部の下端と同じ高さになるような位置関係で構成すればよい。
ただ、楽器が、一組の支持部材間を該支持部材の下端側で連結する連結部から、楽器において演奏者が位置する側となる演奏側に向けて延びる部材を、演奏者の足で操作される第２操作部として備えている場合には、その第２操作部との干渉を避ける必要がある。具体的な構成としては、例えば、請求項３に記載の収納部材のように構成することが考えられる。
【００２３】
この収納部材において、前記収納部は、その下端が、前記側壁部下端から、少なくとも前記楽器における支持部材下端から第２操作部の上端に至る高さに相当する距離よりも長い距離だけ、前記側壁部の上端側に配置されている。
【００２４】
このように構成された収納部材であれば、一組の支持部材間に形成される領域に収めた場合に、収納部の下端が第２操作部の上端よりも上側に位置することとなるため、この第２操作部との干渉を避けることができる。
【００２５】
また、上記課題を解決するため請求項４に記載の梱包セットは、演奏者の手で操作される第１操作部を長さ方向に沿って配置してなる楽器本体が、該楽器本体の長さ方向に間隔を空けて配置された一組の支持部材により支持された構成となっている楽器を、梱包するための梱包箱と、前記楽器に関連する関連品を収納するための収納部材と、からなる。
【００２６】
これらのうち、収納部材は、一対の側壁部と、収納部と、を備えている。この側壁部は、それぞれ前記楽器において前記支持部材の下端から前記楽器本体の裏面にまで至る高さを有し、前記一組の支持部材が配置された間隔以下の間隔で配置されている。また、収納部は、それぞれ前記一対の側壁部を連結するように延びる複数の壁面を有し、該壁面それぞれで前記一対の側壁部間の領域を取り囲むことにより、該取り囲まれた領域を、前記関連品を収納するための収納領域として形成している。そして、前記梱包箱内において、前記一組の支持部材間に形成される領域に収めることにより、前記梱包箱に同梱される、ように構成されている。
【００２７】
このように構成された梱包セットによれば、上述した請求項１から３のいずれかに記載の収納部材により得られるのと同様の作用，効果を得ることができる。
また、この梱包セットにおいては、請求項５に記載の梱包セットのように構成するとよい。この梱包セットの収納部材においては、前記一対の側壁部の上端から上方に向けて延びる第１延出部が備えられている。そして、該第１延出部は、当該収納部材を、前記楽器において演奏者が位置する側となる演奏側から、前記一組の支持部材間に形成される領域に収めた場合に、前記楽器本体における前記演奏側の端面に接触する位置関係で設けられている。
【００２８】
このように構成された梱包セットによれば、上述した請求項２または請求項３に記載の収納部材により得られるのと同様の作用，効果を得ることができる。
また、上述した各梱包セットにおいては、前記楽器が、前記一組の支持部材間を該支持部材の下端側で連結する連結部から、前記楽器において演奏者が位置する側となる演奏側に向けて延びる部材を、演奏者の足で操作される第２操作部として備えている場合、請求項６に記載のように構成するとよい。
【００２９】
この梱包セットの収納部材において、前記収納部は、その下端が、前記側壁部下端から、少なくとも前記楽器における支持部材下端から第２操作部の上端に至る高さに相当する距離よりも長い距離だけ、前記側壁部の上端側に配置されている。
【００３０】
このように構成された梱包セットによれば、上述した請求項３に記載の収納部材により得られるのと同様の作用，効果を得ることができる。
また、このように、収納部材における収納部の下端が側壁部の上端側に配置された構成とした場合には、請求項７に記載の梱包セットのように構成するとよい。
【００３１】
この梱包セットの梱包箱においては、その底面のうち、前記収納部材が同梱された当該梱包箱を上方から投影した面において前記収納部材の収納部が位置する領域であって、かつ、前記第２操作部が位置していない領域に、該領域から前記収納部の下端まで至る高さを有する柱状の柱状部が、備えられている。
【００３２】
このように構成された梱包セットによれば、梱包箱底面に備えられた柱状部によって、収納部材の収納部が支持されることとなるため、その収納部に収納された関連品がその重量で収納部を下方向へ変位させ、第２操作部に干渉してしまう、といったことを防止することができる。
【００３３】
なお、この柱状部については、収納部材の収納部を支持することができれば、その形状や数については特に限定されない。
また、この構成においては、請求項８に記載の梱包セットのように構成するとよい。
【００３４】
この梱包セットのうち、前記収納部材においては、一方の前記側壁部のうち、少なくとも前記収納部の下端に対応する位置よりも下端側となる位置から、他方の前記側壁部に向けて延びる第２延出部が備えられている。そして、前記梱包箱において、前記柱状部は、前記収納部材を、前記一組の支持部材間に形成される領域に収めた場合に、前記第２延出部と接触する位置関係で設けられている。
【００３５】
このように構成された梱包セットであれば、収納部材を楽器における一組の支持部材間に収めた場合に、第２延出部が梱包箱底面に設けられた柱状部に接触することで、その変位が規制される。これにより、収納部材が、楽器本体における演奏者側の端部からその反対側へ変位することを防止できるため、側壁部上端により楽器本体における演奏者側の端部を支持した状態を維持することができる。
【００３６】
その結果、上記反対側の端部へ収納部材が変位して、楽器本体が演奏側に傾く力を分散させることができなくなるということがなくなるため、これにより、支持部材の損傷を効果的に防止することができる。
【００３７】
なお、この第２延出部を備えた構成を、上述のように収納部材に第１延出部を設けた構成に採用した場合であれば、この第１延出部によっても収納部材の変位が規制されるため、側壁部上端により楽器本体における演奏者側の端部を支持した状態を、より確実に維持することができるようになる。
【発明を実施するための最良の形態】
【００３８】
以下に本発明の実施形態を図面と共に説明する。
（１）全体構成
梱包セット１は、図１に示すように、楽器を梱包するための梱包箱１０と、楽器に関連する関連品（例えば、楽器に付属する付属品の他、楽器の演奏に際して使用する品）を収納した状態で梱包箱１０に同梱される収納部材２０と、で構成され、楽器を分解することなくそのままの状態で梱包するためのものである。
【００３９】
この梱包セット１により梱包される楽器１００は、図２に示すように、鍵盤１１０を長さ（幅）方向に沿って配置してなる楽器本体１２０が、この楽器本体１２０の長さ方向に間隔を空けて配置された一組の支持部材１３０により支持された電子オルガンである。また、この楽器１００においては、演奏者の足で操作される足鍵盤１４２，ペダル１４４が、一組の支持部材１３０間を連結する連結部１５０の下端側から、楽器１００において演奏者が位置する側に向けて延びるように設けられている。また、この楽器１００においては、演奏のしやすさを確保するために、楽器本体１２０が、楽器１００を側面視した場合（図２における側面図参照）において演奏者の位置する側へ向けて突出した構造となっている。ここで、上述した鍵盤１１０は、本願発明における第１操作部であり、足鍵盤１４２，ペダル１４４は、本発明における第２操作部である。
【００４０】
なお、以降、楽器１００において、鍵盤１１０が配置された方向を「幅方向」といい、幅方向と直交する方向を「前後方向」といい、幅方向と平行な端部のうち演奏者が位置することとなる側の端部を「演奏側」の端部という。そして、梱包セット１の梱包箱１０，収納部材２０に対しても、楽器１００を梱包した状態におけるその楽器１００と同一方向などを示す用語として、「幅方向」，「前後方向」，「演奏側」を用いることとする。
【００４１】
梱包セット１における梱包箱１０は、四角形の筒状部材１１，この筒状部材１１の底面をなす底トレイ１３，底トレイ１３の底面に敷かれる底板１５，筒状部材１１の天井面をなす天トレイ１７，筒状部材１１の四隅それぞれに立てられる断面Ｌ字状の支柱１９などからなる。
【００４２】
この梱包箱１０における底板１５は、この底板１５に楽器１００が載せられた場合において楽器１００の底面が接触しない領域（前後方向における演奏側の領域）上に、それぞれ楽器１００の支持部材１３０における内側の面（支持部材１３０それぞれにおいて対向する面）に沿って延びるように設けられた直方体のブロック３２，３４と、各ブロック３２，３４から幅方向に間隔を空けた領域から上方向に延びる柱状の柱状部３６と、が設けられている。
【００４３】
この柱状部３６は、底板１５に楽器１００が載せられた場合において、楽器１００の足鍵盤１４２およびペダル１４４が位置しない領域に、収納部材２０の前後方向に沿った長さよりも長い領域にわたる前後方向の長さを有している。また、その領域における足鍵盤１４２およびペダル１４４それぞれよりも高い位置にまで到達する高さを有している。
【００４４】
また、収納部材２０は、図３に示すように、一対の側壁部２１間に、関連品を収納する収納部２３が配置された箱状の部材であり、梱包箱１０内において、楽器１００における一組の支持部材１３０間に形成される領域に収めることで梱包箱１０に同梱される。
【００４５】
この収納部材２０における側壁部２１は、それぞれ楽器１００において支持部材１３０の下端から楽器本体１２０の裏面にまで至る高さを有している。また、側壁部２１それぞれは、幅方向に一定の間隔を空けて配置されているが、この間隔は、楽器１００において一組の支持部材１３０が配置された間隔以下の間隔となっている。なお、この側壁部２１は、楽器本体１２０の裏面のうち、その上端が接触する領域の形状に合わせた形状（本実施形態においては直線状）に加工されている。
【００４６】
また、収納部２３は、それぞれ一対の側壁部２１を連結するように延びる複数の壁面（本実施形態においては、上下前後４つの壁面）２３ａで構成され、これら壁面２３ａそれぞれで取り囲んだ領域を、関連品を収納する収納領域として形成している。また、この収納部２３は、上記底板１５に設けられた柱状部３６の高さに相当する距離ｄだけ、側壁部２１下端から上端側へ離れた位置に設けられており、これにより、収納部２３の下端が、側壁部２１から柱状部３６と同じ高さだけ上方に配置されている（図１参照）。そして、この収納部２３は、その上端を収納部材２０の上端から所定の距離だけ離すことができ、かつ、関連品が収納できる収納領域が確保できるように、その高さｈが定められている。
【００４７】
また、収納部材２０には、側壁部１２それぞれの上端から上方向に延びる第１延出部２５が設けられている。この第１延出部２５は、収納部材２０を演奏側から一組の支持部材１３０間に形成される領域に収めた場合に、楽器本体１２０における演奏側の端面に接触する位置，具体的にいうと、側壁部２１上端における演奏側の端部から上方へ延びる位置関係となるように設けられている。
【００４８】
また、収納部材２０には、側壁部２１における演奏側の端部それぞれから、側壁部２１および第１延出部２５からなる端部全域と同じ高さを有する板状の部分として、他方の側壁部２１へ向けて延びる第２延出部２７，２９が設けられている。これら第２延出部２７，２９のうち、一方の第２延出部２９は、収納部材２０を演奏側から一組の支持部材１３０間に形成される領域に収めた場合に、その下端側が上記底板１５に設けられた柱状部３６における演奏側の端部に接触する。
【００４９】
なお、この収納部材２０は、図４に示すように、各部分を展開した状態の板状部材を折り曲げることにより形成されるものである。その形成に際しては、まず、同一方向（図４における上下方向）に配置された壁面２３ａを折り曲げて筒状に形成する。その後、この筒状部分の両端（図４における左右の端部）を塞ぐように側壁部２１を折り曲げた後、第２延出部２７，２９それぞれを端部（図４における左右の端部）それぞれが重なるように折り曲げる。こうして、収納部材２０が形成される。なお、この収納部材２０においては、第２延出部２７，２９がフタとしても機能しており、壁面２３ａで形成される領域に関連品をセットし、上記のとおりに第２延出部２７，２９を折り曲げることで、関連品が収納されることとなる。
【００５０】
ここで、上記梱包セット１によって、実際に楽器１００を梱包する手順の一例について説明する。
まず、底トレイ１３の底面に底板１５を敷く。なお、このとき、底トレイ１３の底面に四角形の板状部材を敷いたうえで、底板１５を敷くようにしてもよい。
【００５１】
次に、底板１５上に、楽器１００をセットする。ここでは、楽器１００における支持部材１３０の内側それぞれが、底板１５に設けられたブロック３２，３４の外側に位置する（または接触する）ようにセットする。なお、楽器１００の楽器本体１２０，支持部材１３０それぞれは、この時点で、緩衝材からなるシートなどで覆っておくことが望ましい。
【００５２】
次に、収納部材２０に関連品を収納した後で、楽器１００における支持部材１３０間に形成される領域に、その収納部材２０を演奏側から収める。このとき、収納部材２０において、一方の側壁部２１下端は、足鍵盤１４２の隙間を通して底板１５に接触させ、他方の側壁部２１の下端は、ブロック３４と柱状部３６との間の領域において底板１５に接触させる。そして、一方の第２延出部２９が、底板１５に設けられた柱状部３６における演奏側の端部に接触するまで、収納部材２０を上記領域の奥に向けてスライドさせる。
【００５３】
次に、底トレイ１３における四隅それぞれに支柱１９をセットする。このとき、各支柱１９は、Ｌ字状の形状を底トレイ１３における隅の形状に沿うようにしてセットする（図１参照）。
【００５４】
次に、筒状部材１１を支柱１９それぞれの上端を頂点とする四角形の領域に被せる。
そして、天トレイ１７を筒状部材１１の上端で形成される四角形の領域に被せる。なお、このとき、支柱１９それぞれの上端に四角形の板状部材を載せたうえで、天トレイ１７を被せるようにしてもよい。
【００５５】
こうして、梱包セット１により、楽器１００および収納部材２０が梱包された状態を図５に示す。
（２）作用，効果
このように構成された梱包セット１においては、収納部材２０を梱包箱１０に同梱するにあたり、楽器１００における一組の支持部材１３０間に収められることとなるが、このとき、側壁部２１が楽器本体１２０の裏面に至る高さを有しているため、その上端が楽器本体１２０の裏面に接触することになる。
【００５６】
つまり、収納部材２０は、少なくとも楽器本体１２０と梱包箱１０の底面（底板１５上面）とで挟まれた状態となり、その状態からの変位が規制されることとなるため、この収納部材２０の収納部２３についても同様に変位が規制されることとなる。これにより、関連品を収納した状態の収納部２３が不必要に変位し、その関連品が収納部２３の壁面２３ａを介して楽器本体１２０または支持部材１３０に接触することを防止でき、そのような接触に起因して楽器本体１２０または支持部材１３０を損傷させるといったことを防止することができる。
【００５７】
さらに、この収納部材２０は、側壁部２１の上端が楽器本体１２０の裏面に接触することで、梱包箱１０内において楽器本体１２０を支持するようにも機能することとなる。これにより、運搬時の振動などに起因して楽器１００の支持部材１３０に加わる負荷を、収納部材２０側に分散させることができるため、その負荷により楽器１００の支持部材１３０が損傷することを抑制できる。
【００５８】
また、上記収納部材２０において、側壁部２１は、その上端が楽器本体１２０における裏面の形状に合わせた形状に加工されているため、その上端全域にわたり楽器本体１２０の裏面にピッタリと接触できる結果、楽器本体１２０を安定して支持することができる。
【００５９】
また、上述した収納部材２０であれば、楽器１００における一組の支持部材１３０間に収めた場合に、第１延出部２５が楽器本体１２０における演奏側の端面に接触することで、その変位が規制される。
【００６０】
上述した楽器１００のように、楽器本体１２０が、演奏のしやすさを確保するために、楽器１００を側面視した場合において演奏側へ向けて突出した構造となっている場合、運搬時の振動などで楽器１００全体を演奏側に傾けるような力が作用することがあり、これにより支持部材１３０に過度の負荷がかかることがある。このような負荷がかかることは、その大きさによっては支持部材１３０を損傷させてしまう恐れがあることから、望ましいものではない。
【００６１】
ところが、上述したように、第１延出部２５が楽器本体１２０における演奏側の端面に接触し、その変位が規制される収納部材２０であれば、楽器本体１２０における演奏者側の端部からその反対側へ変位することが防止される。そのため、側壁部上端により楽器本体における演奏者側の端部を支持した状態を維持することができる。
【００６２】
その結果、上記反対側の端部へ収納部材２０が変位して、楽器本体１２０が演奏側に傾く力を分散させることができなくなるということがなくなるため、これにより、支持部材１３０の損傷を効果的に防止することができる。
【００６３】
また、上記実施形態においては、収納部材２０の収納部２３が、底板１５に設けられた柱状部３６と同じ高さとなる位置に設けられている。そのため、この収納部材２０を、楽器１００における一組の支持部材１３０間に形成される領域に収めた場合に、収納部２３の下端が、足鍵盤１４２，ペダル１４４よりも上側に位置することとなるため、これら足鍵盤１４２，ペダル１４４との干渉を避けることができる。
【００６４】
また、上記実施形態においては、収納部材２０の収納部２３が、底板１５に設けられた柱状部３６と同じ高さに配置されている。そのため、この収納部２３は、収納部材２０を上記領域に収めた場合に、底板１５に設けられた柱状部３６によって支持されることとなる。これにより、収納部２３に収納された関連品がその重量で収納部２３を下方向へ変位させ、足鍵盤１４２，ペダル１４４に干渉してしまう、といったことを防止することができる。
【００６５】
また、上記実施形態においては、収納部材２０を上記領域に収めた場合に、収納部材２０の第２延出部２９が、底板１５に設けられた柱状部３６と接触するように構成されているため、収納部材２０の変位はその接触により規制される。これにより、収納部材２０が、楽器本体１２０における演奏者側の端部からその反対側へ変位することを防止できるため、側壁部２１上端により楽器本体１２０における演奏者側の端部を支持した状態を、より確実に維持することができる。
【００６６】
その結果、上記反対側の端部へ収納部材２０が変位して、楽器本体１２０が演奏側に傾く力を分散させることができなくなるということがなくなるため、これにより、支持部材１３０の損傷を効果的に防止することができる。
（３）変形例
以上、本発明の実施の形態について説明したが、本発明は、上記実施形態に何ら限定されることはなく、本発明の技術的範囲に属する限り種々の形態をとり得ることはいうまでもない。
【００６７】
例えば、上記実施形態においては、楽器１００として電子オルガンを梱包する梱包セットに対して、本願発明を適用した場合を説明した。しかし、本願発明は、楽器本体１２０が一組の支持部材１３０により支持された構成の楽器であれば、電子オルガン以外（例えば、電子ピアノ）の楽器を梱包する梱包セットに対して適用することも可能である。
【００６８】
また、上記実施形態においては、収納部材２０の収納部２３が、４つ（４種類）の壁面２３ａが上下前後方向に配置された構成を例示した。しかし、収納部２３については、少なくとも底面，および，楽器１００側の面それぞれを有していれば、具体的な壁面の数やその配置については、特に限定されない。
【００６９】
また、上記実施形態においては、底板１５に１の柱状部３６のみが設けられた構成を例示したが、複数の柱状部３６を設け、これらにより収納部材２０の収納部２３を支持する構成としてもよい。
【００７０】
また、上記実施形態においては、底板１５に設けられたブロック３２，３４を、収納部材２０を上記領域に収めた場合における側壁部２１付近まで到達する程度に、大きな幅を有するものとすることで、収納部材２０の幅方向への変位を規制する構成としてもよい。
【００７１】
また、上記実施形態においては、収納部材２０を上記領域に収めた場合における側壁部２１の前後方向に沿った長さを有するブロックを設け、これにより、収納部材２０の幅方向への変位を規制する構成としてもよい。
【図面の簡単な説明】
【００７２】
【図１】梱包セットの構成を示す三面図（上面図，正面図，側面図；以下同様）
【図２】楽器の構成を示す三面図
【図３】収納部材の構成を示す三面図
【図４】収納部材の展開図
【図５】梱包セットに楽器および収納部材が収納された状態を示す三面図
【符号の説明】
【００７３】
１…梱包セット、１０…梱包箱、１１…筒状部材、１２…側壁部、１３…底トレイ、１５…底板、１７…天トレイ、１９…支柱、２０…収納部材、２１…側壁部、２３…収納部、２３ａ…壁面、２５…第１延出部、２７…第２延出部、２９…第２延出部、３２…ブロック、３４…ブロック、３６…柱状部、１００…楽器、１１０…鍵盤、１２０…楽器本体、１３０…支持部材、１４２…足鍵盤、１４４…ペダル、１５０…連結部。
【図１】
2007230634.tif 000003
【図２】
2007230634.tif 000004
【図３】
2007230634.tif 000005
【図４】
2007230634.tif 000006
【図５】
2007230634.tif 000007